Podtech/llm-jp-corpus-v4-ja_patent huggingface dataset:
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
ポリスチレン廃棄物を再生するためのプロセスであって、
ポリスチレン／エチルベンゼン混合物を取得するための条件下で、前記ポリスチレン廃棄物を、エチルベンゼンに溶解することと、
沈殿ポリスチレンと炭化水素廃液の第１の部分とを取得するための条件下で、前記ポリスチレン／エチルベンゼン混合物を、炭化水素ポリスチレン非溶剤の第１の部分と接触させることと、
前記炭化水素廃液の第１の部分から前記沈殿ポリスチレンを分離することと、
任意に、前記溶解、添加、および分離を繰り返すことと、
洗浄ポリスチレンと炭化水素廃液の第２の部分とを取得するための条件下で、前記沈殿ポリスチレンを、炭化水素ポリスチレン非溶剤の第２の部分で洗浄することと、
前記炭化水素廃液の第２の部分から前記洗浄ポリスチレンを分離することと、
二重洗浄ポリスチレンと炭化水素廃液の第３の部分とを取得するための条件下で、前記洗浄ポリスチレンを、炭化水素ポリスチレン非溶剤の第３の部分で洗浄することと、
前記炭化水素廃液の第３の部分から前記二重洗浄ポリスチレンを分離することと、
任意に、乾燥ポリスチレンを取得するための条件下で、前記二重洗浄ポリスチレンを乾燥させることと、を含み、
約１ｇ／１０分以上４０ｇ／１０分未満のメルトフローインデックスを有する再生ポリスチレンを生成する、プロセス。
【請求項２】
前記接触が、約周囲温度又は周囲温度を超えて行われ、前記炭化水素廃液の第１の部分から前記沈殿ポリスチレンを分離する前に、前記プロセスが、前記沈殿ポリスチレンおよび前記炭化水素廃液の第１の部分を冷却することをさらに含む、請求項１に記載のプロセス。
【請求項３】
前記炭化水素ポリスチレン非溶剤の第２の部分による前記沈殿ポリスチレンの前記洗浄が、約周囲温度又は周囲温度を超えて行われ、前記炭化水素廃液の第２の部分から前記洗浄ポリスチレンを分離する前に、前記プロセスが、前記洗浄ポリスチレンおよび前記炭化水素廃液の第２の部分を冷却することをさらに含む、請求項１または２に記載のプロセス。
【請求項４】
前記炭化水素ポリスチレン非溶剤の第３の部分による前記洗浄ポリスチレンの前記洗浄が、約周囲温度又は周囲温度を超えて行われ、前記炭化水素廃液の第３の部分から前記二重洗浄ポリスチレンを分離する前に、前記プロセスが、前記二重洗浄ポリスチレンおよび前記炭化水素廃液の第３の部分を冷却することをさらに含む、請求項１〜３のいずれか一項に記載のプロセス。
【請求項５】
前記ポリスチレン／エチルベンゼン混合物が、前記ポリスチレン／エチルベンゼン混合物の全重量に基づいて、約３３重量％以下の量のポリスチレンを含む、請求項１〜４のいずれか一項に記載のプロセス。
【請求項６】
前記ポリスチレン／エチルベンゼン混合物が、前記ポリスチレン／エチルベンゼン混合物の全重量に基づいて、約１６重量％〜約２５重量％の量のポリスチレンを含む、請求項１〜５のいずれか一項に記載のプロセス。
【請求項７】
前記ポリスチレン／エチルベンゼン混合物が、不溶性物質を含み、前記プロセスが、前記ポリスチレン／エチルベンゼン混合物を、前記炭化水素ポリスチレン非溶剤の第１の部分に添加する前に、前記不溶性物質を除去するための条件下で、前記ポリスチレン／エチルベンゼン混合物を濾過することをさらに含む、請求項１〜６のいずれか一項に記載のプロセス。
【請求項８】
前記沈殿ポリスチレンと前記炭化水素廃液の第１の部分とを取得するための前記条件が、前記炭化水素ポリスチレン非溶剤の沸点において、前記ポリスチレン／エチルベンゼン混合物を、前記炭化水素ポリスチレン非溶剤の第１の部分に添加することと、前記エチルベンゼンが、前記炭化水素ポリスチレン非溶剤および前記ポリスチレン／エチルベンゼン混合物から前記炭化水素ポリスチレン非溶剤へと十分な程度にまで拡散が進行する時間をかけて撹拌することと、を含む、請求項１〜７のいずれか一項に記載のプロセス。
【請求項９】
前記ポリスチレン／エチルベンゼン混合物の全重量に基づいて、前記ポリスチレン／エチルベンゼン混合物中の前記エチルベンゼンの約９０重量％超が、前記炭化水素ポリスチレン非溶剤へと拡散する、請求項８に記載のプロセス。
【請求項１０】
前記ポリスチレン／エチルベンゼン混合物に対する前記炭化水素ポリスチレン非溶剤の第１の部分の体積比が、約２：１〜約４：１である、請求項１〜９のいずれか一項に記載のプロセス。
【請求項１１】
前記洗浄ポリスチレンと前記炭化水素廃液の第２の部分とを取得するための前記条件が、前記炭化水素ポリスチレン非溶剤の沸点において、前記炭化水素ポリスチレン非溶剤の第２の部分を前記沈殿ポリスチレンに添加することと、前記エチルベンゼンが、前記沈殿ポリスチレンから前記炭化水素ポリスチレン非溶剤へと十分な程度にまで拡散が進行する時間をかけて撹拌することと、を含む、請求項１〜１０のいずれか一項に記載のプロセス。
【請求項１２】
前記洗浄ポリスチレンが、約０．３重量％未満のエチルベンゼンを含む、請求項１１に記載のプロセス。
【請求項１３】
前記洗浄ポリスチレンが、約０．１重量％未満のエチルベンゼンを含む、請求項１１に記載のプロセス。
【請求項１４】
前記炭化水素ポリスチレン非溶剤の第１の部分、前記炭化水素ポリスチレン非溶剤の第２の部分、および前記炭化水素ポリスチレン非溶剤の第３の部分のうちの少なくとも１つが、１気圧の圧力下で、約９８℃〜約１１０℃または約１０５℃〜約１１０℃の沸点を有する炭化水素ポリスチレン非溶剤を含む、本質的にそれからなる、またはそれからなる、請求項１〜１３のいずれか一項に記載のプロセス。
【請求項１５】
前記ポリスチレン廃棄物が、生産財廃棄物、消費財廃棄物、またはこれらの組み合わせである、請求項１〜１４のいずれか一項に記載のプロセス。
【請求項１６】
前記添加／接触が、約８０℃〜約１２０℃、約８０℃〜約９０℃または約８５℃の温度で行われる、請求項１〜１５のいずれか一項に記載のプロセス。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
粉末から三次元物体を製造するための方法であって、前記方法が、
印刷スレッド上に設けられたプリントヘッドが、造形領域を横切って第一の方向に移動することで、前記造形領域に積層された粉末層上に吸収材を印刷する工程と、
第一の放射線源が前記造形領域を横切って前記第一の方向に移動することによって、前記吸収材が印刷された前記粉末層を焼結する工程と、
分配スレッドが前記造形領域を横切って前記第一の方向に移動することで、前記造形領域に別の粉末層を積層する工程であって、前記分配スレッドは前記印刷スレッドから独立して動作可能である工程と、
前記印刷スレッド上の前記第一の放射線源により前記粉末層を焼結する工程と、前記粉末分配スレッドにより前記焼結層上に前記別の粉末層を積層する工程との間の経過時間を制御する工程を含む、方法。
【請求項２】
焼結中の前記造形領域の表面温度を検出する工程と、
前記検出された温度の結果として前記別の粉末層の積層を開始する工程と、をさらに含む、請求項１に記載の方法。
【請求項３】
前記粉末層の前記焼結が完了している間に別の粉末層の積層が開始する、請求項１または２に記載の方法。
【請求項４】
前記第一の放射線源が前記印刷スレッド上に設けられた、請求項１〜３のいずれか一項に記載の方法。
【請求項５】
前記分配スレッド上に設けられた第二の放射線源が前記造形領域を横切って前記第一の方向に移動することによって、前記別の粉末層を予熱する工程をさらに含む、請求項１〜４のいずれか一項に記載の方法。
【請求項６】
前記プリントヘッドのアラインメントを調整する工程と、
前記印刷スレッドが前記造形領域を横切って前記第一の方向とは反対の第二の方向に移動して戻る工程と、前記プリントヘッドが前記造形領域を横切って前記第二の方向に移動して戻る時に、前記吸収材を前記別の粉末層に印刷する工程と、をさらに含む請求項１〜５に記載の方法。
【請求項７】
前記分配スレッド上に設けられた前記第二の放射線源が前記造形領域を横切って前記第一の方向に移動することによって、前記別の粉末層を前記造形領域に積層する前に、前記吸収材が印刷された前記粉末層を焼結する工程と、をさらに含む請求項１〜４のいずれか一項に記載の方法。
【請求項８】
前記第二の放射線源が、前記分配スレッドが前記造形領域を横切って前記第一の方向に移動している時に、前記別の粉末層を積層するための前記分配スレッド上に設けられた前記分配装置を導く、請求項７に記載の方法。
【請求項９】
前記分配スレッドが、前記造形領域を横切って前記第一の方向とは反対の第二の方向に移動して戻る工程と、
前記分配スレッド上に設けられた前記第二の放射線源が前記造形領域を横切って前記第二の方向に移動して戻る時に、前記別の粉末層を予熱する工程をさらに含む、請求項１〜４、７または８のいずれか一項に記載の方法。
【請求項１０】
前記分配スレッドが前記造形領域を横切って前記第二の方向に移動して戻る時に、前記第二の放射線源の強度および／または波長を予熱強度および／または予熱波長に調整する工程をさらに含む、請求項９に記載の方法。
【請求項１１】
前記印刷スレッドが前記造形領域を横切って前記第二の方向に移動して戻る工程と、
前記第一の放射線源の前記強度および／または前記波長を前記予熱強度および／または前記波長に調整する工程と、
前記印刷スレッド上に設けられた前記第一の放射線源が前記造形領域を横切って前記第二の方向に移動して戻る時に、前記別の粉末層を予熱する工程と、をさらに含む請求項７〜１０のいずれか一項に記載の方法。
【請求項１２】
前記第一の放射線源が、前記印刷スレッドが前記造形領域を横切って前記第一の方向に移動する時に、前記印刷スレッド上の前記プリントヘッドに従う、請求項１〜１１のいずれか一項に記載の方法。
【請求項１３】
前記粉末層を焼結するために前記第一の放射線源が前記第一の方向に移動することと、前記粉末材料に基づいて、前記別の粉末層を積層するために前記分配スレッドが前記第一の方向に移動することとの間の時間を調整する工程をさらに含む、請求項１〜１２のいずれか一項に記載の方法。
【請求項１４】
請求項１〜１３のいずれか一項に記載の方法を使用して粉末から三次元物体を製造するための装置。
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
粉末から三次元物体を製造するための装置用の粉末再循環システムであって、前記粉末再循環システムが、
粉末タンクに継合された送達経路であって、前記粉末タンクが粉末を貯蔵するように構成される、送達経路と、
前記送達経路の出口に継合された粉末貯蔵部であって、前記送達経路が前記粉末貯蔵部に粉末を送達するための送達機構を備える、粉末貯蔵部と、
粉末を前記粉末貯蔵部から作業表面へ移送するための用量ブレードであって、前記作業表面が造形領域を含み、前記用量ブレードが前記粉末貯蔵部の上部またはその付近に位置する、用量ブレードと、
前記粉末貯蔵部の出口に継合された粉末再循環経路であって、第一の過剰な粉末は、使用時に、特定の量に達した後に前記粉末貯蔵部の出口を通って流れる粉末であり、前記粉末再循環経路が、前記粉末貯蔵部からの前記第一の過剰な粉末を前記送達経路に戻すように構成される、粉末再循環経路と、を備える、
粉末再循環システム。
【請求項２】
前記送達機構が、前記粉末再循環経路から前記粉末貯蔵部に前記第一の過剰な粉末を送達するように構成される、請求項１に記載の粉末再循環システム。
【請求項３】
前記粉末再循環経路からの前記第一の過剰な粉末が所定の量を下回る時に、前記送達機構が前記粉末タンクから前記粉末を引き出すように構成される、請求項１または請求項２に記載の粉末再循環システム。
【請求項４】
前記粉末再循環経路が前記送達経路に継合される、請求項１〜３のいずれか一項に記載の粉末再循環システム。
【請求項５】
前記粉末タンクが前記粉末再循環経路にまず連結されることで前記送達経路に継合され、前記第一の過剰な粉末および前記粉末タンクからの前記粉末が混ぜ合わされて同じ入口から前記送達経路に入る、請求項４に記載の粉末再循環システム。
【請求項６】
前記送達経路が前記粉末タンクの出口に継合され、前記粉末再循環経路が前記粉末タンクの前記出口の上流の場所で前記送達経路に継合され、前記第一の過剰な粉末を前記粉末タンクの前記出口の上流にある第一の場所で前記粉末貯蔵部から前記送達経路に戻す、請求項４に記載の粉末再循環システム。
【請求項７】
前記作業表面に供給された前記粉末を前記造形領域にわたり分配するための装置と、
前記造形領域にわたる前記粉末の分配後に第二の過剰な粉末を受け取るように構成される粉末戻り経路であって、前記第二の過剰な粉末を前記送達経路に戻すようにさらに構成される、粉末戻り経路と、をさらに備える、
請求項１〜６のいずれか一項に記載の粉末再循環システム。
【請求項８】
使用時に、前記粉末戻り経路からの粉末が前記粉末再循環経路からの粉末よりも優先され、かつ、前記粉末再循環経路からの粉末が前記粉末タンクからの粉末よりも優先されるように、前記粉末戻り経路が前記粉末再循環経路の上流にある場所で前記送達経路に継合される、請求項４〜６のいずれか一項に従属する請求項７に記載の粉末再循環システム。
【請求項９】
前記送達経路が前記粉末タンクの出口に継合されており、
前記粉末再循環経路が前記粉末戻り経路に継合されおり、
使用時に、前記第一の過剰な粉末および前記第二の過剰な粉末が前記送達経路に戻される前に混ぜ合わされて同じ入口から前記送達経路に入るように、前記粉末戻り経路が前記粉末タンクの出口の上流にある場所で前記送達経路に継合されている、
請求項１〜４のいずれか一項に従属する請求項７に記載の粉末再循環システム。
【請求項１０】
前記送達機構が、前記粉末戻り経路からの前記第二の過剰な粉末を前記粉末貯蔵部に送達するように構成される、請求項７〜９のいずれか一項に記載の粉末再循環システム。
【請求項１１】
前記送達機構が、前記粉末再循環経路からの前記第一の過剰な粉末と前記粉末戻り経路からの前記第二の過剰な粉末が所定の量を下回る時に、前記粉末タンクから前記粉末を引き出すように構成される、請求項７〜１０のいずれか一項に記載の粉末再循環システム。
【請求項１２】
前記粉末戻り経路が、前記粉末再循環経路からの前記第一の過剰な粉末が前記送達経路に戻される場所の上流で前記第二の過剰な粉末を前記送達経路に戻すように構成される、請求項７〜１１のいずれか一項に記載の粉末再循環システム。
【請求項１３】
粉末から三次元物体を製造するための装置用の粉末再循環システムであって、前記粉末再循環システムが、
粉末タンクに継合された送達経路であって、前記粉末タンクが粉末を貯蔵するように構成される、送達経路と、
前記送達経路の出口に継合された粉末貯蔵部であって、前記送達経路が前記粉末タンクから前記粉末貯蔵部に前記粉末を送達するための送達機構を備える、粉末貯蔵部と、
前記粉末を前記粉末貯蔵部から造形領域を含む作業表面へ移送するための用量ブレードであって、前記作業表面が造形領域を含み、前記用量ブレードが前記粉末貯蔵部の上部またはその付近に位置する、用量ブレードと、
前記作業表面に供給された前記粉末を前記造形領域にわたり分配するための装置と、
前記造形領域にわたる前記粉末の分配後に過剰な粉末を受け取るように構成され、さらに、前記過剰な粉末を前記送達経路に戻し、使用時に、前記粉末タンクよりも前記過剰な粉末の使用を優先するように、前記粉末タンクの上流にある場所で前記送達経路に継合される、粉末戻り経路と、を備える、
粉末再循環システム。
【請求項１４】
前記粉末戻り経路からの前記過剰な粉末が所定の量を下回る時に、前記送達機構が使用時に前記粉末タンクから前記粉末を引き出すように、前記粉末戻り経路が、使用時に前記粉末タンクからの粉末が前記送達経路に入る場所の上流にある場所で前記送達経路に継合される、請求項１３に記載の粉末再循環システム。
【請求項１５】
前記送達機構が前記粉末戻り経路からの前記過剰な粉末を前記粉末タンクからの前記粉末と混合するように構成される、請求項１３または１４に記載の粉末再循環システム。
【請求項１６】
請求項１〜１５のいずれか一項に記載の粉末再循環システムを備える、三次元物体を造形粉末から製造するための装置。
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
以下を有するインプラント、好ましくは、骨欠損の治療および／または生物学的再建のためのインプラントであって、
骨誘導活性支持体と、
骨誘導活性支持体を少なくとも部分的に取り囲む被覆を備えており、
前記被覆が、水または水を含む液体に溶解する被覆材を含む、またはそのような被覆材からなり、
前記被覆が、異なるように形成された部分領域を有することを特徴とするインプラント。
【請求項２】
前記被覆材が、好ましくは、デンプン、アミロース、アミロペクチン、デキストラン、メチルセルロース、ヒドロキシメチルセルロース、エチルセルロース、ヒドロキシエチルセルロース、プロピルセルロース、ヒドロキシプロピルセルロース、ブチルセルロース、ヒドロキシブチルセルロース、ヒドロキシエチルメチルセルロース、ヒドロキシプロピルメチルセルロース、カルボキシメチルセルロース、ヒアルロン酸、コンドロイチン−４−硫酸、コンドロイチン−６−硫酸、ケラチン硫酸、アルギン酸、ヘパリン、ヘパラン硫酸、キトサン、これらの塩、またはこれらの混合物からなる群から選択される多糖類を含む、またはそのような多糖類からなることを特徴とする、請求項１に記載のインプラント。
【請求項３】
前記被覆材が、好ましくは、ポリビニルアルコール、ポリエチレングリコール、エチレンオキシド−プロピレンオキシド共重合体（ＥＯ−ＰＯ共重合体）、エチレンオキシド−プロピレンオキシドブロック共重合体（ＥＯ−ＰＯブロック共重合体）、アクリル酸単独重合体、アクリル酸共重合体、ポリビニルピロリドン単独重合体、ポリビニルピロリドン共重合体、またはこれらの混合物からなる群から選択される合成重合体を含む、またはそのような合成重合体からなることを特徴とする、請求項１または２に記載のインプラント。
【請求項４】
前記被覆が、第１の部分領域および第２の部分領域を有することを特徴とする、請求項１から３のいずれか一項に記載のインプラント。
【請求項５】
前記部分領域が、水もしくは水を含む液体への前記被覆の溶解性に関し、および／または前記被覆の厚さに関し、および／または前記被覆の構造に関し、互いに異なることを特徴とする、請求項４に記載のインプラント。
【請求項６】
前記部分領域が、前記被覆材の化学組成に関し、特に架橋に関して互いに異なることを特徴とする、請求項４または５に記載のインプラント。
【請求項７】
前記第１の部分領域が、前記第２の部分領域よりも良好に、または素早く水または水を含む液体に溶解する被覆材を含む、またはそのような被覆材からなることを特徴とする、請求項４〜６のうちいずれか一項に記載のインプラント。
【請求項８】
前記第１の部分領域が、前記第２の部分領域よりも弱く架橋された水または水を含む液体に溶解する被覆材を含む、またはそのような被覆材からなることを特徴とする、請求項４〜７のうちいずれか一項に記載のインプラント。
【請求項９】
前記第１の部分領域が、架橋されていない水または水を含む液体に溶解する被覆材を含み、またはそのような被覆材からなり、
前記第２の部分領域が、架橋された水または水を含む液体に溶解する被覆材を含む、またはそのような被覆材からなることを特徴とする、請求項４〜８のうちいずれか一項に記載のインプラント。
【請求項１０】
前記第１の部分領域が、前記第２の部分領域よりも水または水を含む液体に溶解する被覆材の割合が大きいことを特徴とする、請求項４〜９のうちいずれか一項に記載のインプラント。
【請求項１１】
前記第１の部分領域が、水または水を含む液体に溶解する被覆材を含み、またはそのような被覆材からなり、
前記第２の部分領域は、水または水を含む液体に溶解しない被覆材を含む、またはそのような被覆材からなることを特徴とする、請求項４〜１０のうちいずれか一項に記載のインプラント。
【請求項１２】
前記第１の部分領域が、前記第２の部分領域よりも厚さが薄いことを特徴とする、請求項４〜１１のうちいずれか一項に記載のインプラント。
【請求項１３】
前記第１の部分領域が、織物状、特にフォイル状ではなく、
前記第２の部分領域が、織物状、特に網状に形成されていることを特徴とする、請求項４〜１２のうちいずれか一項に記載のインプラント。
【請求項１４】
前記第１の部分領域が、移植された状態で、骨に向けて配置されているとともに、前記第２の部分領域が、移植された状態で、人工関節窩、特に人工寛骨臼に向けて配置されていることを特徴とする、請求項４〜１３のうちいずれか一項に記載のインプラント。
【請求項１５】
前記骨誘導活性支持体が、個別化された形態で存在し、好ましくは、アパタイトおよび／もしくはリン酸三カルシウムを含み、またはアパタイトおよび／もしくはリン酸三カルシウムおよび／もしくは二相性リン酸カルシウムからなることを特徴とする、請求項１〜１４のうちいずれか一項に記載のインプラント。
【請求項１６】
前記アパタイトおよび／または前記リン酸三カルシウムおよび／または前記二相性リン酸カルシウムが、１〜５０％、特に５〜２０％、好ましくは１０〜１５％の気孔率を有することを特徴とする、請求項１〜１５のうちいずれか一項に記載のインプラント。
【請求項１７】
前記アパタイトおよび／または前記リン酸三カルシウムが、できる限り細孔がないように形成されていることを特徴とする、請求項１〜１６のうちいずれか一項に記載のインプラント。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
患者の検査用の磁気共鳴イメージングシステムであって、前記磁気共鳴イメージングシステムは、
磁気共鳴画像の生成用の無線周波数（ＲＦ）信号を送信及び／又は受信するＲＦコイルと、
前記ＲＦコイルと接続される前置増幅器と、
前記ＲＦコイルが前記磁気共鳴画像の生成用の前記ＲＦ信号を送信及び／又は受信するのと同時に、前記患者の組織と相互作用するためのＲＦ送信信号を送信するための、且つ、前記患者の動きによってもたらされる動き信号を受信するための、ＲＦセンサと
を備え、
前記ＲＦセンサは、前記前置増幅器と一緒に配置され、
前記ＲＦセンサは、前記ＲＦコイルに統合されているアンテナを含み、
前記ＲＦ送信信号は、連続波レーダ信号及び／又は超広帯域レーダ信号を含む、磁気共鳴イメージングシステム。
【請求項２】
前記前置増幅器及び前記ＲＦセンサは、動き検出用の統合ＲＦトランシーバデバイスを形成する、請求項１に記載の磁気共鳴イメージングシステム。
【請求項３】
前記統合ＲＦトランシーバデバイスは、デジタルスペクトラム拡散信号である搬送波信号を生成し、
前記統合ＲＦトランシーバデバイスは更に、前記ＲＦコイルがＭＲＩ信号及び動き検出用の追加のＲＦ信号のために同時に使用されるように、前記ＭＲＩ信号からスペクトラム拡散信号を除去するデコリレータを含む、請求項２に記載の磁気共鳴イメージングシステム。
【請求項４】
前記ＲＦセンサは、前記前置増幅器のプリント回路基板上に配置されるアンテナを含む、請求項１に記載の磁気共鳴イメージングシステム。
【請求項５】
受信された前記動き信号を処理する深層学習機能を有する機械学習モジュールを更に含む、請求項１に記載の磁気共鳴イメージングシステム。
【請求項６】
前記機械学習モジュールは、前記磁気共鳴画像の生成用の前記ＲＦ信号を受信する前記ＲＦコイルに接続される、請求項５に記載の磁気共鳴イメージングシステム。
【請求項７】
前記磁気共鳴イメージングシステムは、
磁気共鳴画像の生成用の追加のＲＦ信号を送信及び／又は受信する追加のＲＦコイルと、
前記患者の組織と相互作用する追加のＲＦ送信信号を送信及び受信するための、且つ、前記患者の動きによってもたらされる追加の動き信号を受信するための追加のＲＦセンサと、
前記追加の動き信号を処理するための追加の機械学習モジュールと
を更に含み、
受信された前記動き信号と、受信された前記追加の動き信号とをそれぞれ処理するために、前記ＲＦセンサと前記追加のＲＦセンサとは、前記機械学習モジュールと前記追加の機械学習モジュールとにそれぞれ別個に接続される、請求項５に記載の磁気共鳴イメージングシステム。
【請求項８】
患者の検査用の磁気共鳴イメージングシステムの作動方法であって、
前記磁気共鳴イメージングシステムは、無線周波数（ＲＦ）コイルと、ＲＦセンサとを含み、前記ＲＦセンサは、前記ＲＦコイルに統合されているアンテナを含み、前記方法は、
前記ＲＦコイルを使用して、磁気共鳴画像の生成用のＲＦ信号を送信及び／又は受信するステップと、
前置増幅器を使用して前記ＲＦ信号を増幅するステップと、
前記前置増幅器と一緒に配置される前記ＲＦセンサを使用して、前記患者の組織と相互作用するＲＦ送信信号を送信するステップと、
前記磁気共鳴画像の生成用の前記ＲＦ信号の送信及び／又は受信と同時に、前記ＲＦセンサを使用して、前記患者の動きによる動き信号を受信するステップと、
を含み、
前記ＲＦ送信信号は、連続波レーダ信号及び／又は超広帯域レーダ信号を含む、
方法。
【請求項９】
深層学習機能を有する機械学習モジュールにおいて、受信された前記動き信号を処理するステップを更に含む、請求項８に記載の方法。
【請求項１０】
前記機械学習モジュールにおいて、受信された前記動き信号を、前記磁気共鳴画像の生成用の前記ＲＦ信号と一緒に処理するステップを更に含む、請求項９に記載の方法。
【請求項１１】
無線周波数（ＲＦ）コイル及びＲＦセンサを含む患者の検査用の磁気共鳴イメージングシステムの動作を制御するための非一時的コンピュータ可読媒体であって、前記ＲＦセンサは、前記ＲＦコイルに統合されているアンテナを含み、前記非一時的コンピュータ可読媒体は、プロセッサ上で実行されると、前記プロセッサに、
前記ＲＦコイルを使用して、磁気共鳴画像の生成用のＲＦ信号を送信及び／又は受信させ、
前置増幅器と一緒に配置される前記ＲＦセンサを使用して、前記患者の組織と相互作用するＲＦ送信信号を送信させ、
前記磁気共鳴画像の生成用の前記ＲＦ信号の送信及び／又は受信と同時に、前記ＲＦセンサを使用して、前記患者の動きによる動き信号を受信させる
命令が格納されており、
前記ＲＦ送信信号は、連続波レーダ信号及び／又は超広帯域レーダ信号を含む、非一時的コンピュータ可読媒体。
【請求項１２】
前記ＲＦコイルは、マルチ共振デザインにおける前記統合ＲＦトランシーバデバイスによってアンテナデバイスとして構成される、請求項２に記載の磁気共鳴イメージングシステム。
【請求項１３】
前記前置増幅器及び前記ＲＦセンサは、統合ＲＦトランシーバデバイスを形成し、前記方法は、
前記統合ＲＦトランシーバデバイスを使用して、デジタルスペクトラム拡散信号である搬送波信号を生成するステップ
を更に含む、請求項８に記載の方法。
【請求項１４】
前記ＲＦコイルがＭＲＩ信号及び動き検出用の追加のＲＦ信号のために同時に使用されるように、前記ＭＲＩ信号からスペクトラム拡散信号を除去するステップ
を更に含む、請求項１３に記載の方法。
【手続補正書】
【提出日】令和3年10月14日(2021.10.14)
【手続補正１】
【補正対象書類名】明細書
【補正対象項目名】０００７
【補正方法】変更
【補正の内容】
【０００７】
この目的は、請求項１、１６、２２及び２７の何れか一項に記載の方法と、請求項２９に記載の自律移動ロボットとにより解決することができる。様々な構成および更なる展開は、従属請求項の対象である。
【手続補正２】
【補正対象書類名】明細書
【補正対象項目名】００３５
【補正方法】変更
【補正の内容】
【００３５】
（汚れに対する速度低下の応答）図３は、床面の汚れを検出するためのセンサ（汚れセンサ）が自律移動ロボットのアーキテクチャにどのように統合され得るかの例を示す図である。ナビゲーションモジュール１５２において、地図データ（例えば、障害物の位置等）及びロボットの位置は、（センサユニット１２０に含まれるナビゲーションセンサ１２１によって供給される）ロボットの環境に関する情報に基づいて、走行距離測定によって更新される（例えば、ＳＬＡＭ法に従って、後述の図４のステップＳ１も参照）。走行距離測定のためにロボット１００のセンサユニット１２０は、距離計１２２（例えば、ホイールエンコーダ、光学式距離計等）を有し得る。そして、現在の動作モード（処理モード、清掃モード等）に応じてロボットの経路計画が更新される。経路計画は、現在の動作モードに割り当てられた運動パターン、それぞれの動作モードで使用される衝突回避戦略（例えば、後退、障害物の輪郭に沿った走行など）、および省略された部分領域の再処理に使用される戦略に基づいている。経路計画は、例えば、目的地への経路点の決定、経路セグメントの決定、動きベクトル、および／またはロボット使用領域を通るロボットの経路を記述するための他の要素を含むことができる。この経路を辿る際のロボットの動力学的要素（特に速度と加速度）は、家庭用ロボットの場合、経路を計画する際には、通常、（自走車のような大型の高速移動ロボットとは異なり）無視することができる。また、経路計画の更新は、ロボットが以前に計画された経路上にまだあるかどうかをチェックすることも含み得る。偏差がある場合（特に許容範囲よりも大きい場合）には、ロボットがどのようにして計画された経路に戻ることができるかを決定し得る。さらに、経路計画の更新は、以前に計画された経路が衝突せずに実行できるかどうかをチェックし得る。例えば、これまで存在しなかった障害物や、経路計画では考慮されていなかった障害物を回避することができる。経路計画の更新が完了すると、ナビゲーションモジュール１５２の第１ステップ（地図データおよびロボット位置の更新）を繰り返し得る。
【手続補正３】
【補正対象書類名】明細書
【補正対象項目名】００４２
【補正方法】変更
【補正の内容】
【００４２】
追加的または代替的に、ロボットはバックの走行ができる。すなわち、移動方向が逆になる。たとえば、ロボットは、制御ソフトウェアモジュールによって、事前に定義可能な距離（例えば、５ｃｍ）を逆方向に走行するように制御され得る。これは、検出された衝突または検出された落下エッジに対する反応と同様に行うことができる。特に、ナビゲーションモジュール１５２によるコストの掛かる計画は必要とされない。ナビゲーションモジュール１５２は、従来のように、処理モードとその処理戦略、ロボットの位置情報、及び地図情報に基づいて、汚れの増加を考慮することなく、ロボットの経路計画を引き継ぐことができる。バックの走行は、ひどい汚れを検出し、より汚れている可能性のある領域を再処理する際の遅延を補償するという利点がある。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
医療用装置の包装システムであって、
一次パッケージであって、
通気性部分と、
前記第１の部分に連結された第２の部分と、
空洞を含む拡散抑制部材と、を備える、一次パッケージを備える、医療用装置の包装システム。
【請求項２】
細長医療用装置に連結するように構成された支持部材を更に備え、前記細長医療用装置が、細長シャフト及びカテーテル先端部を備える、請求項１に記載の医療用装置の包装システム。
【請求項３】
前記拡散抑制部材が、前記支持部材の端部上に配設されている、請求項２に記載の医療用装置の包装システム。
【請求項４】
前記拡散抑制部材が、前記カテーテル先端部及び前記細長シャフトの少なくとも２５．４ミリメートル（１インチ）の上に配設されている、請求項１又は請求項２に記載の医療用装置の包装システム。
【請求項５】
前記拡散抑制部材が、開放型バッグを含む、請求項１〜４のいずれか一項に記載の医療用装置の包装システム。
【請求項６】
前記拡散抑制部材が、ポリエチレン、ポリプロピレン、ポリエステル、箔積層体、及び紙／ポリエチレン積層体から選択される少なくとも１つのポリマーを含む、請求項１〜５のいずれか一項に記載の医療用装置の包装システム。
【請求項７】
前記拡散抑制部材が、０．００７６２ミリメートル（０．０００３インチ）から１．２７ミリメートル（０．０５００インチ）の厚さを有する少なくとも１つの壁を含む、請求項１〜６のいずれか一項に記載の医療用装置の包装システム。
【請求項８】
前記拡散抑制部材が、０．０５０８ミリメートル（０．００２インチ）から０．０７６２ミリメートル（０．００３インチ）の厚さを有する少なくとも１つの壁を含む、請求項７に記載の医療用装置の包装システム。
【請求項９】
前記拡散抑制部材が、前記カテーテル先端部及び前記細長シャフトの少なくとも２５．４ミリメートル（１インチ）を覆うように構成された接着剤付きフィルムを含む、請求項１〜８のいずれか一項に記載の医療用装置の包装システム。
【請求項１０】
前記拡散抑制部材が、前記カテーテル先端部の形状に適合するように構成される、請求項１〜９のいずれか一項に記載の医療用装置の包装システム。
【請求項１１】
前記拡散抑制部材が、前記空洞内及び前記細長医療用装置の表面への全室内消毒ガス及び／又は蒸気の拡散を制限するように構成される、請求項１〜１０のいずれか一項に記載の医療用装置の包装システム。
【請求項１２】
前記拡散抑制部材が、前記カテーテル先端部及び前記細長シャフトの一部のガス滅菌を可能にする、請求項１〜１１のいずれか一項に記載の医療用装置の包装システム。
【請求項１３】
前記通気性部分が、前記通気性部分を横切るエチレンオキシドガスの通過を可能にする、請求項１〜１２のいずれか一項に記載の医療用装置の包装システム。
【請求項１４】
前記拡散抑制剤が、前記カテーテル先端部の全室内気化過酸化水素処理への曝露を制限する、請求項１３に記載の医療用装置の包装システム。
【請求項１５】
開放型バッグ及び空洞を含む拡散抑制部材であって、前記拡散抑制部材が、細長医療用装置の一部を覆うように構成され、その結果、全室内消毒ガス及び／又は蒸気が、前記空洞内への拡散及び前記細長医療用装置の表面の接触を制限する、拡散抑制部材。
【請求項１６】
前記拡散抑制部材が、前記細長医療用装置の前記被覆部分のガス滅菌を可能にする、請求項１５に記載のパッケージ部材。
【請求項１７】
前記拡散抑制部材が、カテーテル先端部、及び前記細長医療用装置の細長シャフトの少なくとも２５．４ミリメートル（１インチ）を覆うように構成される、請求項１５又は請求項１６に記載のパッケージ部材。
【請求項１８】
前記拡散抑制部材が、カテーテル先端部、及び前記細長医療用装置の細長シャフトの少なくとも２５．４ミリメートル（１インチ）を覆うように構成された接着剤付きフィルムを含む、請求項１５〜１７のいずれか一項に記載のパッケージ部材。
【請求項１９】
拡散抑制部材装置を使用する方法であって、
一次パッケージを取得することであって、
通気性の第１の層と、
前記第１の層に結合された第２の層と、
前記第１の層と前記第２の層との間に配設された支持部材と、を備える、一次パッケージを取得することと、
細長医療用装置を前記支持部材に連結することと、
前記拡散抑制部材装置を前記細長医療用装置の一部の上に配設することと、
前記一次パッケージの前記第１の層と前記第２の層との間に、前記支持部材、細長医療用装置、及び拡散抑制部材装置を配設することと、を備える、方法。
【請求項２０】
滅菌ガスを利用して前記一次パッケージ内の前記細長医療用装置を滅菌することを更に備え、前記拡散抑制部材装置が、前記細長医療用装置の一部を前記滅菌ガスに曝露することを可能にする、請求項１９に記載の方法。
【請求項２１】
前記滅菌ガスが、前記第１の通気性層の壁を横切る、請求項１９又は請求項２０に記載の方法。
【請求項２２】
前記一次パッケージ内の前記細長医療用装置を、全室内消毒ガス及び／又は蒸気に曝露することを更に備え、前記拡散抑制部材装置が、前記消毒ガス及び／又は蒸気の前記細長医療用装置の前記被覆部分への曝露を制限するように構成される、請求項１９〜２１のいずれか一項に記載の方法。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
対象者の体の皮膚領域で反射して、又は、前記対象者の前記体の前記皮膚領域を通して透過して、検出された電磁放射に由来する少なくとも２つの検出信号を取得する検出インターフェースと、
心拍数検出手段と、
前記検出インターフェース及び前記心拍数検出手段に動作可能に結合されたプロセッサとを備え、前記プロセッサは、
前記検出信号とは異なる心拍信号を取得するために、前記心拍数検出手段を制御し、
少なくとも２つのパルス信号を導出することであって、少なくとも２つの前記パルス信号の各々が前記検出信号の重み付けされた組合せから形成され、各前記パルス信号に対する重み付けが、少なくとも２つの血液ボリュームパルスベクトルの集合の異なる血液ボリュームパルスベクトルの成分に基づく、少なくとも２つのパルス信号を導出することと、
前記心拍信号を使用して、導出された前記パルス信号の各々に対する品質インジケーター値を導出することであって、前記品質インジケーター値が、前記パルス信号と、前記心拍数検出手段により検出される前記対象者の前記心拍信号との間における導出された関連性の特徴に基づく、品質インジケーター値を導出することと、
最高の前記品質インジケーター値をもつ前記パルス信号を結果的にもたらす前記血液ボリュームパルスベクトルから、及び／又は、導出された前記パルス信号自体から、少なくとも１つの生理学的パラメータを示す生理学的情報を導出することと、
を行う、生理学的パラメータ検出システム。
【請求項２】
前記検出インターフェースが、フォトプレチスモグラフィ（ＰＰＧ）検出手段を備える、
請求項１に記載の生理学的パラメータ検出システム。
【請求項３】
前記心拍数検出手段が、ＥＣＧ検出手段及び／又は加速度計を備える、
請求項１又は２に記載の生理学的パラメータ検出システム。
【請求項４】
前記心拍数検出手段が、フォトプレチスモグラフィ（ＰＰＧ）検出手段を備える、
請求項１から３のいずれか一項に記載の生理学的パラメータ検出システム。
【請求項５】
前記心拍数検出手段が、前記検出インターフェースに統合されて、前記心拍数検出手段と前記検出インターフェースとが同じ前記フォトプレチスモグラフィ（ＰＰＧ）検出手段を備える、
請求項２に従属する請求項４に記載の生理学的パラメータ検出システム。
【請求項６】
前記検出インターフェースが、胸部搭載可能検出ユニットを備え、好ましくは、前記胸部搭載可能検出ユニットが、ＰＰＧセンサーと前記心拍数検出手段とを備える、
請求項１から５のいずれか一項に記載の生理学的パラメータ検出システム。
【請求項７】
前記生理学的パラメータが、血液酸素飽和度ＳｐＯ２であり、前記生理学的パラメータ検出システムが、酸素飽和度検出システムである、
請求項１から６のいずれか一項に記載の生理学的パラメータ検出システム。
【請求項８】
導出された前記パルス信号の各々に対する前記品質インジケーター値が、前記心拍信号の周波数成分に対応した前記パルス信号の１つ又は複数の周波数成分の値に基づいて導出される、
請求項１から７のいずれか一項に記載の生理学的パラメータ検出システム。
【請求項９】
前記品質インジケーター値を導出することが、前記品質インジケーター値を特定する前に、前記心拍信号の周波数成分に対応した１つ又は複数の周波数成分を、各前記パルス信号において強調することを含み、
各前記パルス信号に対する前記品質インジケーター値が、前記パルス信号に対する周波数スペクトルにおける最高の最大値の値となるように得られる、
請求項１から８のいずれか一項に記載の生理学的パラメータ検出システム。
【請求項１０】
各前記パルス信号に対する前記品質インジケーター値を導出することが、前記品質インジケーター値を特定する前に、前記心拍信号の周波数成分に対応していない前記パルス信号の周波数成分を抑制すること、又は、なくすことを含む、
請求項９に記載の生理学的パラメータ検出システム。
【請求項１１】
導出された前記パルス信号の各々に対する前記品質インジケーター値を導出することが、前記パルス信号と前記心拍信号又は前記心拍信号から導出された信号との間の相関の強さを特定することに基づく、
請求項１から７のいずれか一項に記載の生理学的パラメータ検出システム。
【請求項１２】
各前記パルス信号に対する前記品質インジケーター値を導出することが、前記パルス信号にヒルベルト変換を適用して分析信号を導出することと、後に、前記分析信号と前記対象者に対する前記心拍信号との間の相関の強さを導出することとを含む、
請求項１１に記載の生理学的パラメータ検出システム。
【請求項１３】
対象者の体の皮膚領域で反射して、又は、前記対象者の前記体の前記皮膚領域を通して透過して、検出された電磁放射に由来する少なくとも２つの検出信号を取得するステップと、
前記検出信号とは異なる、前記対象者に対する心拍信号を取得するステップと、
少なくとも２つのパルス信号を導出するステップであって、少なくとも２つの前記パルス信号の各々が前記検出信号の重み付けされた組合せから形成され、各前記パルス信号に対する重み付けが、少なくとも２つの血液ボリュームパルスベクトルの集合の異なる前記血液ボリュームパルスベクトルの成分に基づく、少なくとも２つのパルス信号を導出するステップと、
前記心拍信号を使用して、導出された前記パルス信号の各々に対する品質インジケーター値を導出するステップであって、前記品質インジケーター値が、前記パルス信号と前記対象者の前記心拍信号との間における導出された関連性の特徴に基づく、品質インジケーター値を導出するステップと、
最高の前記品質インジケーター値をもつ前記パルス信号を結果的にもたらす前記血液ボリュームパルスベクトルから、及び／又は、導出された前記パルス信号自体から、少なくとも１つの生理学的パラメータを示す生理学的情報を導出するステップと、
を有する、生理学的パラメータ検出方法。
【請求項１４】
コンピュータにおいて動作したとき、請求項１３に記載の方法を前記コンピュータに行わせるコンピュータプログラムコードを含む、
コンピュータプログラム。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
予め決められた解剖学的構造の解剖学的ランドマークを位置特定するための医用イメージング方法であって、
ａ）取得パラメータセットを使用して取得された画像データ内の解剖学的ランドマークを予測し、画像データの後続の取得のために前記取得パラメータセットの後続の取得パラメータセットを予測するための機械学習モデルにアクセスするステップと、
ｂ）現在の取得パラメータセットを決定するステップと、
ｃ）解剖学的構造のスライスを表す調査画像データを受け取るステップであって、前記調査画像データは、前記現在の取得パラメータセットを有する、ステップと、
ｄ）前記機械学習モデルを用いて、前記受け取られた調査画像データ内の解剖学的ランドマークを識別するステップと、
ｅ１）前記機械学習モデルを用いて、前記既に識別されている解剖学的ランドマークから更なる解剖学的ランドマークを予測するステップと、
ｅ２）一つ又はそれより多くの関連する解剖学的ランドマークを含む前記機械学習モデルを用いて次の調査画像スライスを予測するステップと、
ｅ３）前記機械学習モデルを使用して前記予測される次の調査画像スライスのための別の取得パラメータセットを予測し、前記予測された取得パラメータセットを前記現在のパラメータセットとして使用して、予め決められた繰り返し回数にわたってステップｃ）−ｅ１）乃至ｅ３）を繰り返すステップと、
ｆ）前記識別された解剖学的ランドマークを提供するステップと、
を有する方法。
【請求項２】
前記機械学習モデルを使用して、前記識別された解剖学的ランドマークに信頼レベルを割り当てるステップを更に有し、前記繰り返し回数は、予め決められた閾値よりも高い信頼レベルを得るために必要とされる繰り返し回数である、請求項１に記載の方法。
【請求項３】
画像データのトレーニングセットに、既知のランドマークのセット及び複数の取得パラメータセットを提供するステップと、前記機械学習モデルを生成するために、前記トレーニングセットに対し学習アルゴリズムを実行するステップと、を更に有する、請求項１又は２に記載の方法。
【請求項４】
前記トレーニングセットは、前記ランドマークのセットの各々のロケーションを示す、請求項３に記載の方法。
【請求項５】
前記トレーニングセットは、前記解剖学的構造の３Ｄボリュームを表す画像データを有する、請求項３又は４に記載の方法。
【請求項６】
前記学習アルゴリズムの実行は、前記トレーニングセットから、所与のパラメータセットに対応するスライスを表す画像データを決定するステップと、前記スライスに対し前記学習アルゴリズムを実行するステップと、を有する、請求項３乃至５のいずれか１項に記載の方法。
【請求項７】
前記トレーニングセットから前記所与のパラメータセットに対応するスライスを表す画像データを決定する前記ステップは、マルチプラナリフォーマット方法を使用して実行される、請求項６に記載の方法。
【請求項８】
前記取得パラメータセットが、
前記解剖学的構造のスライスの標示、
前記画像データのボクセルサイズ、
前記画像データのボクセル数、
前記画像データ内のボクセル中心、
前記スライスの３Ｄ方向、
のうちの少なくとも１つを含む、請求項１乃至７のいずれか１項に記載の方法。
【請求項９】
前記機械学習モデルが深層学習モデルである、請求項１乃至８のいずれか１項に記載の方法。
【請求項１０】
前記予測された取得パラメータセットが、前記取得パラメータセット及び／又は修正された取得パラメータセットについてそれぞれ異なる値を有し、前記修正された取得パラメータセットが、前記画像データのエコー時間（ＴＥ）、反復時間（ＴＲ）、及び／又はフリップ角度を有する、請求項１乃至９のいずれか１項に記載の方法。
【請求項１１】
前記提供された解剖学的ランドマークを使用して、後続の医用画像のスキャン計画を実行するステップを更に有する、請求項１乃至１０に記載の方法。
【請求項１２】
プロセッサにより実行されるマシン実行可能命令を有するコンピュータプログラムであって、前記マシン実行可能命令の実行は、前記プロセッサに、請求項１乃至１１のいずれか１項に記載の方法を実行させる、コンピュータプログラム。
【請求項１３】
医用分析システムであって、マシン実行可能命令を有するメモリと、前記医用分析システムを制御するプロセッサと、を有し、前記マシン実行可能命令の実行は、前記プロセッサに、
ａ）取得パラメータセットを使用して取得された画像データ内の解剖学的ランドマークを予測し、画像データの後続の取得のために前記取得パラメータセットの後続の取得パラメータセットを予測するための機械学習モデルにアクセスするステップと、
ｂ）現在の取得パラメータセットを決定するステップと、
ｃ）前記解剖学的構造のスライスを表す調査画像データを受信するステップであって、前記調査画像データは、前記現在の取得パラメータセットを有する、ステップと、
ｄ）前記機械学習モデルを用いて、前記取得された調査画像データ内の解剖学的ランドマークを識別するステップと、
ｅ１）前記機械学習モデルを用いて、前記既に識別されている解剖学的ランドマークから更なる解剖学的ランドマークを予測するステップと、
ｅ２）一つ又はそれより多くの関連する解剖学的ランドマークを含む前記機械学習モデルを用いて次の調査画像スライスを予測するステップと、
ｅ３）前記機械学習モデルを使用して前記予測される次の調査画像スライスのための別の取得パラメータセットを予測し、前記予測された取得パラメータセットを前記現在のパラメータセットとして使用して、予め決められた繰り返し回数にわたってステップｃ）−ｅ１）乃至ｅ３）を繰り返すステップと、
ｆ）前記識別された解剖学的ランドマークを提供するステップと、
を実行させる、医用分析システム。
【請求項１４】
請求項１３に記載の医用分析システムを有する磁気共鳴イメージングシステムであって、前記調査画像データを取得するように構成される、磁気共鳴イメージングシステム。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
手動の機械式収集ピペット（１）のためのアクセサリ（２）であって、ハンドルを形成しているピペット上部本体（４）の周囲に可逆的に取り付けられ得る前記アクセサリが、アクセサリ本体（３６）と、当該アクセサリ本体を前記ピペット上部本体（４）に取り付けるための取り付け手段（６０，６２，６６，７０，７４，７４’）とを含み、また、前記アクセサリ（２）が、前記アクセサリ本体及び／又は前記取り付け手段に取り付けられる以下の要素、すなわち、
ａ）電源モジュール（８２）と、
ｂ）当該電源モジュール（８２）により電力供給される少なくとも１つのセンサ（８３，８８，９１，９３）と、をさらに含み、
前記アクセサリ（２）が、さらに、以下の要素、すなわち、
ｃ）前記センサ（複数可）により取得されたデータを表示するためのモジュール（９０）と、
ｄ）前記センサ（複数可）により取得されたデータに従って作動されるアラームモジュール（９４）と、
ｅ）前記アクセサリ（２）が一方で前記センサ（複数可）と通信し、他方で、前記ピペットから離れて配置された情報処理装置（９５）と通信することを可能にする無線通信モジュール（９６）と、のうちの少なくとも１つのモジュールを含む、アクセサリ（２）。
【請求項２】
前記アクセサリ（２）が、さらに、前記アクセサリ本体（３６）及び／又は前記取り付け手段に取り付けられる以下の要素、すなわち、
ｆ）前記センサ（複数可）により取得されたデータを処理するためのマイクロコントローラ（８４）と、
ｇ）前記ピペッティング操作をタイムスタンプするための、及び／又はメンテナンス作業を監視するためのリアルタイムクロック（８６）と、のうちの少なくとも１つを含むことを特徴とする、請求項１に記載のアクセサリ。
【請求項３】
前記少なくとも１つのセンサが、以下の要素、すなわち、
−加速度計（９３）と、
−力センサ（９１）と、
−１以上の環境センサ（８８）、特には大気圧センサ及び周囲空気温度センサと、
−前記ピペットにより収集された試料の温度を測定するための赤外線センサ（８３）と、のうちの少なくとも１つに対応することを特徴とする、請求項１に記載のアクセサリ。
【請求項４】
前記アラームモジュール（９４）が、音、及び／又は光、及び／又は触覚型のモジュールであることを特徴とする、請求項１に記載のアクセサリ。
【請求項５】
前記無線通信モジュール（９６）がブルートゥース型のモジュールであることを特徴とする、請求項１に記載のアクセサリ。
【請求項６】
前記アクセサリ本体（３６）が、ピペッティング操作中に操作者の人差し指が前記ピペット（１）を保持するための軸方向ストップを形成するために前記アクセサリ（２）に設けられた人差し指支持フック（４２）を含み、当該フック（４２）が、好ましくは、前記取り付け手段の一部であるトラフ（６６）を画成し、当該トラフが、ピペット上部本体（４）を形成している前記ハンドル上に設けられた人差し指支持フック（６）を受け入れるためのものであることを特徴とする、請求項１に記載のアクセサリ。
【請求項７】
前記人差し指支持フック（４２）が、前記要素ａ）〜ｇ）の少なくとも１つ、及び、好ましくはこのフックの下部（５４）に配置された力センサ（９１）を担持していることを特徴とする、請求項６に記載のアクセサリ。
【請求項８】
前記人差し指支持フック（４２）が、互いに取り付けられた２つの別々の部品、特にはフック上部（５２）とフック下部（５４）とを用いて作製され、これらの２つの部品の間に、組み立て時に前記トラフ（６６）が画成されることを特徴とする、請求項６に記載のアクセサリ。
【請求項９】
前記アクセサリ本体（３６）が、また、前記ピペット上部本体（４）に沿って軸方向に延在する中央部分（４０）も含み、且つ、好ましくは、目視窓を形成している開口部（５０）を有することを特徴とする、請求項１に記載のアクセサリ。
【請求項１０】
前記中央部分（４０）が、前記要素ａ）〜ｇ）の少なくとも１つ、好ましくは電源モジュール（８２）を担持していることを特徴とする、請求項９に記載のアクセサリ。
【請求項１１】
前記中央部分（４０）が、前記ピペット上部本体（４）のほぼ全長にわたって延在するようになっており、好ましくは１ｃｍ〜２ｃｍの幅にわたり、且つ、好ましくは０．１ｃｍ〜０．５ｃｍの厚さにわたって延在するようになっていることを特徴とする、請求項９に記載のアクセサリ。
【請求項１２】
前記アクセサリ本体の前記取り付け手段が、前記ピペット上部本体（４）を取り囲むためのリング（７４）、及び／又は、このピペット上部本体を部分的に取り囲むためのクリップ（７４’）を含むことを特徴とする、請求項１に記載のアクセサリ。
【請求項１３】
手動の機械式収集ピペット（１）と、請求項１に記載の、ピペット上部本体（４）を形成しているハンドルの周囲に可逆的に取り付けられるためのアクセサリ（２）と、を備えたキット（１００）。
【請求項１４】
前記ピペットが、前記アクセサリ（２）内に設けられた前記無線通信モジュール（９６）と通信することが可能である少なくとも１つの追加のセンサ（３２）を備えたピペッティングノブ（３０）を含むことを特徴とする、請求項１３に記載のキット。
【請求項１５】
前記ピペットが、収集されるべき量を表示するための装置（１４）を含み、当該装置（１４）が、前記ピペット上部本体（４）上に設けられた窓（１２）を通して目視可能であり、且つ、前記ピペット上に組み付けられた状態において、前記アクセサリ（２）の前記中央部分（４０）の前記開口部（５０）が前記ピペット上部本体（４）の前記窓（１２）に一致することを特徴とする、請求項９と組み合わされた請求項１３に記載のキット。